【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】
計算機と、該計算機と直接接続されるか又はネットワーク経由で間接的に接続されたプリンタとからなる印刷システムにおいて、
前記プリンタは前記計算機が生成した文書の保管を行う保管庫を備え、
該保管庫に格納する文書を編集可能形式と即印刷形式の任意の組合せである、
（ａ）編集可能形式と即印刷形式の両方での格納
（ｂ）編集可能形式のみでの格納
（ｃ）即印刷形式のみでの格納
のいずれかで格納し、該保管文書を１つの名称で管理しておき、
前記計算機から前記文書名とジョブチケット名とを入力して、前記保管文書についての、（ａ）印刷、（ｂ）保管、（ｃ）保管と印刷のいずれかを、計算機からプリンタに指示し、前記プリンタは上記指示に応じ、（ａ）印刷、（ｂ）保管、（ｃ）保管と印刷のいずれかを実行することを特徴とする印刷システム。
【請求項２】
計算機と、該計算機と直接接続されるか又はネットワーク経由で間接的に接続されたプリンタとからなる印刷システムにおいて、
前記プリンタは前記計算機が生成した文書の保管を行う保管庫を備え、
該保管庫に格納する文書を編集可能形式と即印刷形式の任意の組合せである、
（ａ）編集可能形式と即印刷形式の両方での格納
（ｂ）編集可能形式のみでの格納
（ｃ）即印刷形式のみでの格納
のいずれかで格納し、該保管文書を１つの名称で管理しておき、
前記各文書について、即印刷形式についてはジョブチケットと即印刷形式文書の対を１つのみ、編集可能形式についてはジョブチケットと編集可能形式文書の対を複数、保管することを特徴とする印刷システム。
【請求項３】
該文書名とジョブチケット名とを入力として、該保管文書についての、（ａ）印刷、（ｂ）保管、（ｃ）保管と印刷のいずれかを、計算機からプリンタに指示することを特徴とする請求項２記載の印刷システム。
【請求項４】
前記計算機に設けられ保管庫への指示を行うための指示画面を有する保管庫管理指示部から保管済み文書について、ジョブチケットを指示して、（ａ）印刷、（ｂ）保管、又は（ｃ）保管と印刷を行うとき、本指示画面で、ジョブチケットとして既に有るものから選択するか、又は新しいジョブチケットを作成して指示できるようにしたことを特徴とする請求項３記載の印刷システム。
【請求項５】
前記指示された入力ジョブチケットがある即印刷形式文書用のジョブチケットと一致すれば、ジョブチケットが一致した登録済みの即印刷形式文書をそのまま用いて、（ａ）印刷、（ｂ）保管、又は（ｃ）保管と印刷を行い、
一致しない場合、本ジョブチケットの指示する面付け処理を実行し、（ａ）印刷、（ｂ）保管、又は（ｃ）保管と印刷を行うことを特徴とする請求項４記載の印刷システム。
【請求項６】
前記指示された入力ジョブチケットがある即印刷形式文書用のジョブチケットと一致すれば、ジョブチケットが一致した登録済みの即印刷形式文書をそのまま用いて、（ａ）印刷、（ｂ）保管、又は（ｃ）保管と印刷を行い、
一致しない場合、本ジョブチケットの指示する面付け処理を実行し該ジョブチケットに対応する即印刷形式文書を作り、作成された該即印刷形式文書を使って（ａ）印刷、（ｂ）保管、又は（ｃ）保管と印刷を行うことを特徴とする請求項４記載の印刷システム。
【請求項７】
前記即印刷形式用文書は、最新のジョブチケットについての即印刷形式文書を一つだけ格納するようにしたことを特徴とする請求項５又は６記載の印刷システム。
【請求項８】
計算機と、該計算機と直接接続されるか又はネットワーク経由で間接的に接続されたプリンタとからなる印刷システムにおいて、
前記プリンタは前記計算機が生成した文書の保管を行う保管庫を備え、
該保管庫に格納する文書を編集可能形式と即印刷形式の任意の組合せである、
（ａ）編集可能形式と即印刷形式の両方での格納
（ｂ）編集可能形式のみでの格納
（ｃ）即印刷形式のみでの格納
のいずれかで格納し、該保管文書を１つの名称で管理しておき、
前記各文書を、即印刷形式についてはジョブチケットと即印刷形式文書の対を複数保管し、編集可能形式についてはジョブチケットと編集可能形式文書の対を複数保管するようにしたことを特徴とする印刷システム。
【請求項９】
前記各文書を１つの名称で管理し、該文書名とジョブチケット名とを入力として、該保管文書についての、（ａ）印刷、（ｂ）保管、（ｃ）保管と印刷のいずれかを、計算機からプリンタに指示することを特徴とする請求項８記載の印刷システム。
【請求項１０】
前記計算機に設けられ保管庫への指示を行うための指示画面を有する保管庫管理指示部から保管済み文書について、ジョブチケットを指示して、（ａ）印刷、（ｂ）保管、又は（ｃ）保管と印刷を行うとき、本指示画面で、ジョブチケットとして既にあるものから選択するか、又は新しいジョブチケットを作成して指示できるようにしたことを特徴とする請求項９に記載の印刷システム。
【請求項１１】
指示された入力ジョブチケットが或る即印刷形式文書用のジョブチケットと一致すれば、ジョブチケットが一致した登録済みの即印刷形式文書をそのまま用いて、（ａ）印刷、（ｂ）保管、又は（ｃ）保管と印刷を行い、
一致しない場合、本ジョブチケットの指示する面付け処理を実行し、（ａ）印刷、（ｂ）保管、又は（ｃ）保管と印刷を行うことを特徴とする請求項１０記載の印刷システム。
【請求項１２】
指示された入力ジョブチケットが或る即印刷形式文書用のジョブチケットと一致すれば、ジョブチケットが一致した登録済みの即印刷形式文書をそのまま用いて、（ａ）印刷、（ｂ）保管、又は（ｃ）保管と印刷を行い、
一致しない場合、本ジョブチケットの指示する面付け処理を実行し該ジョブチケットに対応する即印刷形式文書を作り、作成された該即印刷形式文書を使って（ａ）印刷、（ｂ）保管、又は（ｃ）保管と印刷を行うことを特徴とする請求項１０記載の印刷システム。
【請求項１３】
前記即印刷形式用文書について、新たなジョブチケットについて即印刷形式文書を作成した場合、該ジョブチケットとそれに対応する作成した即印刷形式文書の組みを格納するようにしたことを特徴とする請求項１１又は１２記載の印刷システム。
【請求項１４】
或る文書を初めに編集可能形式の文書として保管庫に格納し、その後で当該該編集可能形式の文書についてジョブチケットによる面付け指示を行うことで、本文書について、編集可能形式に加え、即印刷可能形式の文書も保管できるようにしたことを特徴する請求項１記載の印刷システム。
【請求項１５】
指示された入力ジョブチケットがある即印刷形式用ジョブチケットと一致しない場合、編集可能形式の文書について、
（ａ）印刷、（ｂ）保管、又は（ｃ）保管と印刷、の指示に対応する面付け処理を描画部と面付け機能で実行し、
描画部が編集可能形式の文書を入力し、描画、つまり編集可能形式の文書を構成する文字要素、図形要素、イメージ要素の各々をドット展開しドットイメージ形式にして出力し、該ドットイメージ形式のデータを描画部から面付け機能に渡し、
面付け機能がドットイメージデータについて面付け処理を行い、本面付け処理の結果について、（ａ）保管、（ｂ）印刷、又は（ｃ）保管と印刷、を実行することを特徴とする請求項５又は１１記載の印刷システム。
【請求項１６】
指示された入力ジョブチケットが或る即印刷形式用ジョブチケットと一致しない場合、編集可能形式の文書について、
（ａ）印刷、（ｂ）保管、又は（ｃ）保管と印刷の指示に対応する面付け処理を自動面付けＢ部で実行し、
自動面付けＢ部は保管庫から読み出した該編集可能形式文書について自動面付け処理を行い、自動面付けした結果を編集可能形式の文書として出力し、本出力に対し、（ａ）保管、（ｂ）印刷、又は（ｃ）保管と印刷を実行することを特徴とする請求項５又は１１記載の印刷システム。
【請求項１７】
指示された入力ジョブチケットが或る即印刷形式用ジョブチケットと一致しない場合、
編集可能形式の文書について、
（ａ）印刷、（ｂ）保管、又は（ｃ）保管と印刷の指示に対応する面付け処理を自動面付けＣ部で実行し、
保管庫内の編集可能形式文書を１ＵＰ、片面印刷仕様で描画部によりドット展開した文書を、即印刷形式の原稿文書として一旦保管庫に保管し、
前記自動面付けＣ部はこの即印刷形式の原稿文書を保管庫から読み出し、自動面付け処理を行い、自動面付けした結果を即印刷形式の文書として出力し、該出力に対し、（ａ）保管、（ｂ）印刷、又は（ｃ）保管と印刷を実行することを特徴とする請求項５又は１１記載の印刷システム。
【請求項１８】
面付けの１つの２丁付けの指示の際、２つの面を同一方向とする形式と、２つの面のうち片方を１８０度回転した配置の２形式を、前記指示画面で選択させることを特徴とする請求項１乃至１７の何れか１項に記載の印刷システム。
【請求項１９】
前記２丁付けの選択をジョブチケット指示で行うことを特徴とする請求項１８記載の印刷システム。
【請求項２０】
前記保管と印刷とを独立に動作させたことを特徴とする請求項１乃至１９の何れか１項に記載の印刷システム。
【請求項２１】
保管庫に文書を保管し、該文書の属性として印刷属性を持たせ、印刷属性の値として高速印刷可能を用意し、該ジョブチケットに対応する面付け処理を既に実施してある即印刷可能形式の文書に、本高速印刷可能属性を持たせたことを特徴とする請求項１乃至２０の何れか１項に記載の印刷システム。
【請求項２２】
前記保管庫内の各文書の印刷属性を画面に表示させたことを特徴とする請求項２１記載の印刷システム。
【請求項２３】
前記計算機から前記プリンタへ前記文書についての印刷要求を、前記文書名と前記文書用ジョブチケットの組みを指定して行うと、
前記プリンタ内の印刷処理部が、前記文書名で保管庫に格納されている文書の属性の一つである保管形式群に基づき、前記文書が編集可能形式、即印刷形式のうちどの組合せで保管されているか判定し、該判定結果に応じ最適な方法で印刷を行うことを特徴とする請求項２１記載の印刷システム。
【請求項２４】
前記計算機から前記プリンタへ前記文書についての印刷要求を、前記文書名と前記文書用ジョブチケットの組みを指定して行うと、
前記プリンタ内の印刷処理部が、前記文書名で保管庫に格納されている文書の属性の一つである保管形式群に基づき、前記文書が編集可能形式、非圧縮タイプの即印刷形式、圧縮タイプの即印刷形式のうち、どの組合せで保管されているか判定し、該判定結果に応じ最適な方法で印刷を行うことを特徴とする請求項２１記載の印刷システム。
【請求項２５】
前記計算機から前記プリンタへ前記文書についての印刷要求を、前記文書名と前記文書用ジョブチケットの組みを指定して行うと、
前記プリンタ内の印刷処理部が、前記文書名で保管庫に格納されている文書の属性の一つである保管形式群に基づき、前記文書が編集可能形式、非圧縮タイプの即印刷形式、圧縮タイプの即印刷形式、表示・編集形式、のうちどの組合せで保管されているか判定し、該判定結果に応じ最適な方法で印刷を行うことを特徴とする請求項２１記載の印刷システム。
【請求項２６】
前記保管庫内の文書を画面表示したとき、表示内容から印刷属性が高速印刷可能な文書を前記指示画面で識別可能であり、該文書を選択して保管庫管理指示部からプリンタに指示することを特徴とする請求項２３乃至２５の何れか１項に記載の印刷システム。
【請求項２７】
或る名称の文書を画面表示したとき、印刷属性が高速印刷可能な文書であり、当該文書用のジョブチケットが１つ以上あり、その中に高速印刷可能を示すマークが付いたジョブチケットがあり、該マークの付いたジョブチケットを選び、当該文書と当該ジョブチケットの組みについての印刷を保管庫管理指示部からプリンタに指示することを特徴とする請求項２６記載の印刷システム。
【請求項２８】
前記指示画面は、（１）印刷属性が高速印刷可能でない文書、（２）印刷属性が高速印刷可能だが、高速印刷可能マークの付いていないジョブチケットを有する文書、を印刷するとき、プリンタエンジン最高性能での印刷を保証しないことをユーザが把握可能とすることを特徴とする請求項２３乃至２５の何れか１項に記載の印刷システム。
【請求項２９】
計算機と、該計算機と直接接続されるか又はネットワーク経由で間接的に接続されたプリンタとからなる印刷システムにおいて、
前記プリンタは、前記計算機が生成した文書の保管を行う保管庫と、該保管庫内の文書を入力として画像処理を行い該処理後の出力文書を前記保管庫に格納するための画像処理部と、前記保管庫を管理する保管庫管理サービス部とを備え、
前記計算機は、保管庫への指示を行うための指示画面を有する保管庫管理指示部を備え、
前保管庫管理指示部から前記保管庫管理サービス部に画像処理の実行を、ジョブチケットと呼ぶパラメータを付けて指示し、
前記画像処理部は、前記ジョブチケット指示に基づき、ドット密度変換又はグレイスケール画像の画質向上又はカラー画像のモノクロ画像への変換を行い、
前記保管庫管理指示部への前記ジョブチケット指示に際し、前記出力文書の出力先としての出力ファイル名と、保管、又は、保管及び印刷を指示を含ませてなることを特徴とする印刷システム。
【請求項３０】
前記画像処理部への入力と出力を編集可能形式の文書とし、
前記画像処理部が編集可能形式の文書を入力として読み込み、画像処理部読み込んだ文書を、構成要素である文字要素、図形要素、イメージ要素に分け、そのうちイメージ要素について画質を向上させ、
分解した文字要素、図形要素、イメージ要素を、一つの編集可能形式の文書ファイルに再構築して前記保管庫へ出力することを特徴とする請求項２９記載の印刷システム。
【請求項３１】
前記画像処理部への入力と出力を即印刷形式の文書とし、
前記画像処理部が即印刷形式の文書を入力として読み込み、画像処理部が読み込んだ文書の内容であるドットイメージデータについて画質を向上させ、新たな文書として前記保管庫へ出力することを特徴とする請求項２９記載の印刷システム。
【手続補正２】
【補正対象書類名】明細書
【補正対象項目名】０００６
【補正方法】変更
【補正の内容】
【０００６】
計算機と、該計算機と直接接続されるか又はネットワーク経由で間接的に接続されたプリンタとからなる印刷システムにおいて、前記プリンタは前記計算機が生成した文書の保管を行う保管庫を備え、該保管庫に格納する文書を編集可能形式と即印刷形式の任意の組合せである、（ａ）編集可能形式と即印刷形式の両方での格納、（ｂ）編集可能形式のみでの格納、（ｃ）即印刷形式のみでの格納、のいずれかで格納し、該保管文書を１つの名称で管理しておき、前記計算機から前記文書名とジョブチケット名とを入力して、前記保管文書についての、（ａ）印刷、（ｂ）保管、（ｃ）保管と印刷のいずれかを、計算機からプリンタに指示し、前記プリンタは上記指示に応じ、（ａ）印刷、（ｂ）保管、（ｃ）保管と印刷のいずれかを実行することを特徴とする。
また、計算機と、該計算機と直接接続されるか又はネットワーク経由で間接的に接続されたプリンタとからなる印刷システムにおいて、前記プリンタは前記計算機が生成した文書の保管を行う保管庫を備え、該保管庫に格納する文書を編集可能形式と即印刷形式の任意の組合せである、（ａ）編集可能形式と即印刷形式の両方での格納、（ｂ）編集可能形式のみでの格納、（ｃ）即印刷形式のみでの格納、のいずれかで格納し、該保管文書を１つの名称で管理しておき、前記各文書について、即印刷形式についてはジョブチケットと即印刷形式文書の対を１つのみ、編集可能形式についてはジョブチケットと即印刷形式文書の対を複数、保管することを特徴とする。
また、該文書名とジョブチケット名とを入力として、該保管文書についての、（ａ）印刷、（ｂ）保管、（ｃ）保管と印刷のいずれかを、計算機からプリンタに指示することを特徴とする。
また、前記計算機に設けられ保管庫への指示を行うための指示画面を有する保管庫管理指示部から保管済み文書について、ジョブチケットを指示して、（ａ）印刷、（ｂ）保管、又は（ｃ）保管と印刷を行うとき、本指示画面で、ジョブチケットとして既に有るものから選択するか、又は新しいジョブチケットを作成して指示できるようにしたことを特徴とする。
また、前記指示された入力ジョブチケットがある即印刷形式文書用のジョブチケットと一致すれば、ジョブチケットが一致した登録済みの即印刷形式文書をそのまま用いて、（ａ）印刷、（ｂ）保管、又は（ｃ）保管と印刷を行い、一致しない場合、本ジョブチケットの指示する面付け処理を実行し、（ａ）印刷、（ｂ）保管、又は（ｃ）保管と印刷を行うことを特徴とする。
また、前記指示された入力ジョブチケットがある即印刷形式文書用のジョブチケットと一致すれば、ジョブチケットが一致した登録済みの即印刷形式文書をそのまま用いて、（ａ）印刷、（ｂ）保管、又は（ｃ）保管と印刷を行い、一致しない場合、本ジョブチケットの指示する面付け処理を実行し該ジョブチケットに対応する即印刷形式文書を作り、作成された該即印刷形式文書を使って(a)印刷、(b)保管、又は(c)保管と印刷を行うことを特徴とする。
また、前記即印刷形式用文書は、最新のジョブチケットについての即印刷形式文書を一つだけ格納するようにしたことを特徴とする。
また、計算機と、該計算機と直接接続されるか又はネットワーク経由で間接的に接続されたプリンタとからなる印刷システムにおいて、前記プリンタは前記計算機が生成した文書の保管を行う保管庫を備え、該保管庫に格納する文書を編集可能形式と即印刷形式の任意の組合せである、（ａ）編集可能形式と即印刷形式の両方での格納、（ｂ）編集可能形式のみでの格納、（ｃ）即印刷形式のみでの格納、のいずれかで格納し、該保管文書を１つの名称で管理しておき、前記各文書を、即印刷形式についてはジョブチケットと即印刷形式文書の対を複数保管し、編集可能形式についてはジョブチケットと即印刷形式文書の対を複数保管するようにしたことを特徴とする。
また、前記各文書を１つの名称で管理し、該文書名とジョブチケット名とを入力として、該保管文書についての、（ａ）印刷、（ｂ）保管、（ｃ）保管と印刷のいずれかを、計算機からプリンタに指示することを特徴とする。
また、前記計算機に設けられ保管庫への指示を行うための指示画面を有する保管庫管理指示部から保管済み文書について、ジョブチケットを指示して、（ａ）印刷、（ｂ）保管、又は（ｃ）保管と印刷を行うとき、本指示画面で、ジョブチケットとして既にあるものから選択するか、又は新しいジョブチケットを作成して指示できるようにしたことを特徴とする。
また、指示された入力ジョブチケットが或る即印刷形式文書用のジョブチケットと一致すれば、ジョブチケットが一致した登録済みの即印刷形式文書をそのまま用いて、（ａ）印刷、（ｂ）保管、又は（ｃ）保管と印刷を行い、一致しない場合、本ジョブチケットの指示する面付け処理を実行し、（ａ）印刷、（ｂ）保管、又は（ｃ）保管と印刷を行うことを特徴とする。
また、指示された入力ジョブチケットが或る即印刷形式文書用のジョブチケットと一致すれば、ジョブチケットが一致した登録済みの即印刷形式文書をそのまま用いて、（ａ）印刷、（ｂ）保管、又は（ｃ）保管と印刷を行い、一致しない場合、本ジョブチケットの指示する面付け処理を実行し該ジョブチケットに対応する即印刷形式文書を作り、作成された該即印刷形式文書を使って（ａ）印刷、（ｂ）保管、又は（ｃ）保管と印刷を行うことを特徴とする。
また、前記即印刷形式用文書について、新たなジョブチケットについて即印刷形式文書を作成した場合、該ジョブチケットとそれに対応する作成した即印刷形式文書の組みを格納するようにしたことを特徴とする。
また、或る文書を初めに編集可能形式の文書として保管庫に格納し、その後で当該該編集可能形式の文書についてジョブチケットによる面付け指示を行うことで、本文書について、編集可能形式に加え、即印刷可能形式の文書も保管できるようにしたことを特徴する。
また、指示された入力ジョブチケットがある即印刷形式用ジョブチケットと一致しない場合、編集可能形式の文書について、（ａ）印刷、（ｂ）保管、又は（ｃ）保管と印刷、の指示に対応する面付け処理を描画部と面付け機能で実行し、描画部が編集可能形式の文書を入力し、描画、つまり編集可能形式の文書を構成する文字要素、図形要素、イメージ要素の各々をドット展開しドットイメージ形式にして出力し、該ドットイメージ形式のデータを描画部から面付け機能に渡し、面付け機能がドットイメージデータについて面付け処理を行い、本面付け処理の結果について、（ａ）保管、（ｂ）印刷、又は（ｃ）保管と印刷、を実行することを特徴とする。
また、指示された入力ジョブチケットが或る即印刷形式用ジョブチケットと一致しない場合、編集可能形式の文書について、（ａ）印刷、（ｂ）保管、又は（ｃ）保管と印刷の指示に対応する面付け処理を自動面付けＢ部で実行し、自動面付けＢ部は保管庫から読み出した該編集可能形式文書について自動面付け処理を行い、自動面付けした結果を編集可能形式の文書として出力し、本出力に対し、（ａ）保管、（ｂ）印刷、又は（ｃ）保管と印刷を実行することを特徴とする。
また、指示された入力ジョブチケットが或る即印刷形式用ジョブチケットと一致しない場合、編集可能形式の文書について、（ａ）印刷、（ｂ）保管、又は（ｃ）保管と印刷の指示に対応する面付け処理を自動面付けＣ部で実行し、保管庫内の編集可能形式文書を１ＵＰ、片面印刷仕様で描画部によりドット展開した文書を、即印刷形式の原稿文書として一旦保管庫に保管し、前記自動面付けＣ部はこの即印刷形式の原稿文書を保管庫から読み出し、自動面付け処理を行い、自動面付けした結果を即印刷形式の文書として出力し、該出力に対し、（ａ）保管、（ｂ）印刷、又は（ｃ）保管と印刷を実行することを特徴とする。
また、面付けの１つの２丁付けの指示の際、２つの面を同一方向とする形式と、２つの面のうち片方を１８０度回転した配置の２形式を、前記指示画面で選択させることを特徴とする。
また、前記２丁付けの選択をジョブチケット指示で行うことを特徴とする。
また、前記保管と印刷とを独立に動作させたことを特徴とする。
また、保管庫に文書を保管し、該文書の属性として印刷属性を持たせ、印刷属性の値として高速印刷可能を用意し、該ジョブチケットに対応する面付け処理を既に実施してある即印刷可能形式の文書に、本高速印刷可能属性を持たせたことを特徴とする。
また、前記保管庫内の各文書の印刷属性を画面に表示させたことを特徴とする。
また、前記計算機から前記プリンタへ前記文書についての印刷要求を、前記文書名と前記文書用ジョブチケットの組みを指定して行うと、前記プリンタ内の印刷処理部が、前記文書名で保管庫に格納されている文書の属性の一つである保管形式群に基づき、前記文書が編集可能形式、即印刷形式のうちどの組合せで保管されているか判定し、該判定結果に応じ最適な方法で印刷を行うことを特徴とする。
また、前記計算機から前記プリンタへ前記文書についての印刷要求を、前記文書名と前記文書用ジョブチケットの組みを指定して行うと、前記プリンタ内の印刷処理部が、前記文書名で保管庫に格納されている文書の属性の一つである保管形式群に基づき、前記文書が編集可能形式、非圧縮タイプの即印刷形式、圧縮タイプの即印刷形式のうち、どの組合せで保管されているか判定し、該判定結果に応じ最適な方法で印刷を行うことを特徴とする。
また、前記計算機から前記プリンタへ前記文書についての印刷要求を、前記文書名と前記文書用ジョブチケットの組みを指定して行うと、前記プリンタ内の印刷処理部が、前記文書名で保管庫に格納されている文書の属性の一つである保管形式群に基づき、前記文書が編集可能形式、非圧縮タイプの即印刷形式、圧縮タイプの即印刷形式、表示・編集形式、のうちどの組合せで保管されているか判定し、該判定結果に応じ最適な方法で印刷を行うことを特徴とする。
また、前記保管庫内の文書を画面表示したとき、表示内容から印刷属性が高速印刷可能な文書を前記指示画面で識別可能であり、該文書を選択して保管庫管理指示部からプリンタに指示することを特徴とする。
また、或る名称の文書を画面表示したとき、印刷属性が高速印刷可能な文書であり、当該文書用のジョブチケットが１つ以上あり、その中に高速印刷可能を示すマークが付いたジョブチケットがあり、該マークの付いたジョブチケットを選び、当該文書と当該ジョブチケットの組みについての印刷を保管庫管理指示部からプリンタに指示することを特徴とする。
また、前記指示画面は、（１）印刷属性が高速印刷可能でない文書、（２）印刷属性が高速印刷可能だが、高速印刷可能マークの付いていないジョブチケットを有する文書、を印刷するとき、プリンタエンジン最高性能での印刷を保証しないことをユーザが把握可能とすることを特徴とする。
【手続補正３】
【補正対象書類名】明細書
【補正対象項目名】０００７
【補正方法】変更
【補正の内容】
【０００７】
また、計算機と、該計算機と直接接続されるか又はネットワーク経由で間接的に接続されたプリンタとからなる印刷システムにおいて、前記プリンタは、前記計算機が生成した文書の保管を行う保管庫と、該保管庫内の文書を入力として画像処理を行い該処理後の出力文書を前記保管庫に格納するための画像処理部と、前記保管庫を管理する保管庫管理サービス部とを備え、前記計算機は、保管庫への指示を行うための指示画面を有する保管庫管理指示部を備え、前保管庫管理指示部から前記保管庫管理サービス部に画像処理の実行を、ジョブチケットと呼ぶパラメータを付けて指示し、前記画像処理部は、前記ジョブチケット指示に基づき、ドット密度変換又はグレイスケール画像の画質向上又はカラー画像のモノクロ画像への変換を行い、前記保管庫管理指示部への前記ジョブチケット指示に際し、前記出力文書の出力先としての出力ファイル名と、保管、又は、保管及び印刷を指示を含ませてなることを特徴とする。
また、前記画像処理部への入力と出力を編集可能形式の文書とし、前記画像処理部が編集可能形式の文書を入力として読み込み、画像処理部読み込んだ文書を、構成要素である文字要素、図形要素、イメージ要素に分け、そのうちイメージ要素について画質を向上させ、分解した文字要素、図形要素、イメージ要素を、一つの編集可能形式の文書ファイルに再構築して前記保管庫へ出力することを特徴とする。
また、前記画像処理部への入力と出力を即印刷形式の文書とし、前記画像処理部が即印刷形式の文書を入力として読み込み、画像処理部が読み込んだ文書の内容であるドットイメージデータについて画質を向上させ、新たな文書として前記保管庫へ出力することを特徴とする。
【手続補正４】
【補正対象書類名】明細書
【補正対象項目名】００３８
【補正方法】変更
【補正の内容】
【００３８】
次に図１７を用いて保管庫２２００に登録した文書を自動面付けする方法を説明する。ここで、自動面付けとは保管庫２２００に登録されている文書に対し、ユーザが保管庫管理指示部３１７０を用いて、面付けをジョブチケットと呼ぶパラメータを入力して指示（１７１０）すると、プリンタコントローラ２００が面付けを自動実行するものである。該指示１７１０に対し、プリンタコントローラ２００内の自動面付け部２８１０が、面付け処理を実行する。
【手続補正５】
【補正対象書類名】明細書
【補正対象項目名】０１６７
【補正方法】変更
【補正の内容】
【０１６７】
また表示・編集形式とは、計算機３００上の応用プログラム部３１４０（編集用応用プログラム１部３１４１、編集用応用プログラム２部３１４２を含む）が文書の画面への表示や文書内容の編集(面付け編集等)を行うための形式であり、Adobe社のPDF(Portable
Document Format ; 登録商標)、HTML(Highper Text Markup Language)、XML(eXtensible Markup Language)、SGML(Standard GeneralizedMarkup Language)、Microsoft社のEMF(Enhanced MetaFile)等がある。これらは、前述の編集可能形式と必ずしも一致していないが、相互に変換可能である。
【手続補正６】
【補正対象書類名】明細書
【補正対象項目名】０２２２
【補正方法】変更
【補正の内容】
【０２２２】
【発明の効果】本発明によれば、単なる印刷用のプリンタでなく、より高度なドキュメントシステムをユーザに提供することができるので、ユーザの使い勝手を大幅に向上することができるという効果がある。